(57)【要約】【課題】各種の液体用容器内に取付けることができ、使用者の希望の通りに寸法が異なるブラシを取付けることができ、使用上便利性が極めて高い弁の構造を提供する。【解決手段】ブッシュと、ピストン・ロッドと、スリーブとを含む弁の構造において、前記ブッシュは、一端には、収容空間が軸方向に開いて設けてあり、且つ収容空間の内面に段階状の当接面が形成してあり、他端の外面の適切な箇所には流出口が開いて設けてあり、前記ピストン・ロッドは、外面の適切な箇所では環状突起が設けてあり、前記環状突起は、一端には前記収容空間の内面の底端に嵌合するロッドが形成してあり、他端の外面に係合部が形成してあり、前記スリーブは、中空であり、一端には前記係合部の外面に嵌合し環状突起に当接する嵌合部が設けてあり、他端には嵌め開口が軸方向に開いて設けてあることを特徴とする弁の構造。【選択図】図２
0003111086.tif 000002
【実用新案登録請求の範囲】
【請求項１】
ブッシュと、ピストン・ロッドと、スリーブとを含む弁の構造において、
前記ブッシュは、一端には、収容空間が軸方向に開いて設けてあり、且つ収容空間の内面に段階状の当接面が形成してあり、他端の外面の適切な箇所では流出口が開いて設けてあり、
前記ピストン・ロッドは、外面の適切な箇所には環状突起が設けてあり、前記環状突起は、一端には前記収容空間の内面の底端に嵌合するロッドが形成してあり、他端の外面に係合部が形成してあり、
前記スリーブは、中空であり、一端には前記係合部の外面に嵌合し環状突起に当接する嵌合部が設けてあり、他端には嵌め開口が軸方向に開いて設けてあり、且つ前記スリーブの外面の適切な箇所では前記ブッシュの外面に嵌合する環状溝が形成してあり、前記嵌合部には環状溝と当接面とに当接する弾性素子が嵌めて設けてあることを特徴とする、弁の構造。
【請求項２】
前記ピストン・ロッド内の軸方向の中段にはノズルを挿通する連通孔が設けてあり、前記連通孔の二つの端面の適切な箇所には凸縁が設けてあり、前記ノズルの一端にはピストン・ロッドの連通孔の内面の底端に嵌合する連通部が設けてあり、且つ前記ノズルの外面の適切な箇所では接合縁が凹設して流出ノズルが形成してあり、前記流出ノズルには流出孔が複数設けてあることを特徴とする、請求項１に記載の弁の構造。
【請求項３】
前記スリーブの内部にはブラシが挿入して設けてあり、前記ブラシの一端には、嵌め開口に挿通する束ねスリーブ用孔が設けてあり、接合縁に当接し流出ノズルと連通し連通孔内に位置し、前記ブラシの束ねスリーブは凸縁に応じて窪みが設けてあることを特徴とする、請求項１に記載の弁の構造。
【請求項４】
前記流出口の適切な箇所にフィルムが設けてあることを特徴とする、請求項１に記載の弁の構造。
【考案の詳細な説明】
【技術分野】
【０００１】
本考案は、弁の構造に係り、特に、各種の液体用容器内に取付けることができ、使用者の希望の通りに寸法が異なるブラシを取付けることができ、使用上便利性が極めて高い弁の構造に関するものである。
【背景技術】
【０００２】
現在、一般の液体用容器には液体流出ヘッドが取付けてあり、液体としては粘着剤や化粧液などが使用されているが、液体流出ヘッドは液体用容器と連通しているので、液体を使用するときに、液体が液体流出ヘッドに流出しないと使用できなく、また、液体を使用しないときに、液体が液体用容器内に戻り、そして、空気も液体用容器内に流入する。
【考案の開示】
【考案が解決しようとする課題】
【０００３】
従来の液体用容器によれば、液体流出ヘッドは液体の回流を阻止できずに、空気が液体用容器内に流入するので、液体の品質が悪くなり、使用効果も低下する問題があった。
【課題を解決するための手段】
【０００４】
上記欠点を解決するためになされた本願の考案は、ブッシュと、ピストン・ロッドと、スリーブとを含む弁の構造において、前記ブッシュは、一端には、収容空間が軸方向に開いて設けてあり、且つ収容空間の内面に段階状の当接面が形成されており、他端の外面の適切な箇所では流出口が開いて設けてあり、前記ピストン・ロッドは、外面の適切な箇所では環状突起が設けてあり、前記環状突起は、一端には前記収容空間の内面の底端に嵌合するロッドが形成してあり、他端の外面に係合部が形成してあり、前記スリーブは、中空なものであり、一端には前記係合部の外面に嵌合し環状突起に当接する嵌合部が設けてあり、他端には嵌め開口が軸方向に開設してあり、且つ前記スリーブの外面の適切な箇所では前記ブッシュの外面に嵌合する環状溝が形成してあり、前記嵌合部には環状溝と当接面とに当接する弾性素子が嵌められて設けてあることを特徴とする弁の構造であることを要旨としている。
【０００５】
本願の考案では、前記ピストン・ロッド内の軸方向の中段にはノズルを挿通する連通孔が設けてあり、前記連通孔の二端面の適切な箇所では凸縁が設けてあり、前記ノズルの一端にはピストン・ロッドの連通孔の内面の底端に嵌合する連通部が設けてあり、且つ前記ノズルの外面の適切な箇所では接合縁が凹設して流出ノズルが形成してあり、前記流出ノズルには流出孔が複数に設けてあることを特徴とする請求項１に記載の弁の構造であることを要旨としている。
【０００６】
本願の考案では、前記スリーブの内部にはブラシが挿入して設けてあり、前記ブラシの一端は、嵌め開口に挿通する束ねスリーブ用孔が設けてあり、接合縁に当接し流出ノズルと連通し連通孔内に位置し、前記ブラシの束ねスリーブは凸縁に応じて窪みが設けてあることを特徴とする請求項１に記載の弁の構造であることを要旨としている。
【０００７】
本願の考案では、前記流出口の適切な箇所ではフィルムが設けてあることを特徴とする請求項１に記載の弁の構造であることを要旨としている。
【考案の効果】
【０００８】
本考案に係る弁の構造によれば、次のような効果がある。
（イ）使用者の希望に応じて寸法が異なるブラシ５０，９２を取付けることができ、使用便利性が極めて高い。
【０００９】
（ロ）本考案に係る弁は、寸法が異なる容器に取付けることができ、容器としては、フレキシブル・チューブや、射出成形などの製造方法で作製された容器などが使用できる。
【００１０】
（ハ）本考案に係る流出口１２の適切な箇所ではフィルム１２１が設けてあるので、液体用容器１３を使用するときに、前記フィルム１２１が自動的に開閉でき、密封性が極めて良い。
【００１１】
（二）本考案に係る弁構造によれば、市販してある製品は、温度の変動によるマイナス気圧や倉庫の温度が高すぎることにより、充填された液体の流動性が良くなることによって容器から漏れ出すことを防止できる。
【考案を実施するための最良の形態】
【００１２】
以下、添付図面を参照して本考案の好適な実施の形態を詳細に説明する。
【００１３】
まず、図１乃至図３を参照する。本考案に係る弁の構造は、ブッシュ１０と、ピストン・ロッド２０と、ノズル３０と、スリーブ４０と、ブラシ５０とを含む。
【００１４】
前記ブッシュ１０は、一端には、収容空間１１が軸方向に開いて設けてあり、且つその内面に段階状の当接面１１１が形成してあり、他端の外面の適切な箇所では流出口１２が開いて設けてあり、且つ前記流出口１２の適切な箇所ではフィルム１２１が設けてある。
【００１５】
前記ピストン・ロッド２０は、外面の適切な箇所には環状突起２１が設けてあり、前記環状突起２１は、一端には前記収容空間１１の内面の底端に嵌合するロッド部２２が形成してあり、他端の外面に係合部２３が形成してあり、前記ピストン・ロッド２０内の軸方向の中段にはノズル３０を挿通する連通孔２４が設けてある。
【００１６】
前記ノズル３０は、中空であり、一端にはピストン・ロッド２０の連通孔２４の内面の底端に嵌合する連通部３１が設けてあり、且つ前記ノズル３０の外面の適切な箇所では接合縁３２が凹設して流出ノズル３３が形成してあり、前記流出ノズル３３には流出孔３１１が複数に設けてあり、本実施例では、流出孔３１１が四つ設けてある。
【００１７】
前記スリーブ４０は、中空であり、一端には前記係合部２３の外面に嵌合し環状突起２１に当接する嵌合部４１が設けてあり、他端には嵌め開口４２が軸方向に開いて設けてあり、且つ前記スリーブ４０の外面の適切な箇所では前記ブッシュ１０の外面に嵌合する環状溝４３が形成してあり、前記嵌合部４１には環状溝４３と当接面１１１とに当接する弾性素子４４が嵌められて設けてある。
【００１８】
前記ブラシ５０は、一端は、嵌め開口４２に挿通する束ねスリーブ用孔５１が設けてあり、接合縁３２に当接し流出ノズル３３と連通し連通孔２４内に位置し、また、前記ブラシ５０は、口紅ヘッドであってもいいし、異なる寸法のブラシでもいい。
【００１９】
また、図３を参照して本考案の使用状態を詳細に説明する。スリーブ４０が外力を受けると、スリーブ４０の環状溝４３が弾性素子４４を当接面１１１に押して、スリーブ４０の嵌合部４１が環状突起２１を押して、ピストン・ロッド２０のロッド部２２が収容空間１１の底端まで押されて流出口１２を塞ぎ、このとき、流出口１２が閉鎖状態になるので、容器内の液体は流出できなくなり、また、スリーブ４０が外力を受けないときに、弾性素子４４がスリーブ４０を軸方向に移動させて、ピストン・ロッド２０のロッド部２２が流出口１２から離れ、このとき、流出口１２が開放状態になり、流出口１２と束ねスリーブ用孔５１が連通状態になり、だから、液体がブラシ５０から均一に流出することができ、使用上の便利性が極めて高く、また、流出口１２の適切な箇所にはフィルム１２１が設置してあるので、液体用容器１３を使用するときに液体の圧力がフィルム１２１を開け、また、液体用容器１３を使用しないときにフィルム１２１が閉鎖状態に自動的に戻り、密封性が極めて良く、そして、本考案に係る弁構造によれば、市販してある製品は、温度の変動によるマイナス気圧や倉庫の温度が高すぎることにより、充填された液体の流動性が良くなることによって容器から漏れ出すことを防止できる。
【００２０】
しかしながら、上記弁構造はノズル３０と合わせて、寸法のより大きい液体用容器１３、又は寸法のより大きいブラシ５０に取付けることができ、液体を均一に流出することができる。
【００２１】
だから、本考案に係る実施例２の弁構造は、図４乃至図６に示すように、寸法がより小さいものにして寸法のより小さいブラシ９２に取り付けてもよい。本考案に係る実施例２の弁構造は、ブッシュ６０と、ピストン・ロッド７０と、スリーブ８０と、ペン・チューブ９０とを含む。
【００２２】
前記ブッシュ６０は、一端には、収容空間６１が軸方向に開いて設けてあり、且つ収容空間６１の内面に段階状の当接面６２が形成してあり、他端の外面の適切な箇所では流出口６３が開いて設けてあり、且つブッシュ６０の収容空間６１の端縁にある当接部６５で液体用容器６４の端縁に嵌めて設ける。
【００２３】
前記ピストン・ロッド７０は、中空であり、内部の所定の箇所には凸部７１が設けてあり、一端には、外面の適切な箇所では環状突起７２が直径方向に設けてあり、且つ係合部７３が設けてあり、他端には、直径がより小さいロッド７４が伸びており、前記ロッド７４は弾性素子７５を嵌めて収容空間６１内に設置することにより、弾性素子７５の一端がブッシュ６０の当接面６２に当接する。
【００２４】
前記スリーブ８０は、中空であり、一端に嵌合部８１が設けてあり、前記嵌合部８１の内面にはピストン・ロッド７０にある係合部７３を嵌合する当接面８２が形成してあり、前記スリーブ８０の他端に円錐体８３が形成してある。
【００２５】
前記ペン・チューブ９０は、一端の外面に環状溝９１が設けてあり、スリーブ８０を嵌めたペン・チューブ９０の環状溝９１がピストン・ロッド７０の凸部７１に係合し、他端にはブラシ９２を嵌めて設けてある。
【００２６】
上記構成により、ピストン・ロッド７０の環状突起７２が外力を受けるときには、ピストン・ロッド７０のロッド７４が弾性素子７５を圧縮して、ロッド７４の底端が収容空間６１の底面に当接して、ロッド７４が流出口６３を塞ぎ、このとき、流出口６３は閉鎖状態になり、よって、容器内の液体は流出できなく、また、ピストン・ロッド７０の環状突起７２が外力を受けないときに、弾性素子７５がピストン・ロッド７０を軸方向に移動させて、ロッド７４が流出口６３から離れ、このとき、流出口６３が開放状態になり、流出口６３とブラシ９２が連通状態になり、そうすると、ピストン・ロッド７０と弾性素子７５との動作により、液体がブラシ９２から均一に流出することができる。
【００２７】
したがって、本実施例に係る弁構造は、寸法が異なる液体用容器１３、又は寸法が異なるブラシに取付けることができるので、使用便利性が極めて高い。
【図面の簡単な説明】
【００２８】
【図１】本考案に係る実施例１の斜視図である。
【図２】本考案に係る実施例１の分解斜視図である。
【図３】本考案に係る実施例１の弁から流体が流出する状態を示す概略図である。
【図４】本考案に係る実施例２の斜視図である。
【図５】本考案に係る実施例２の分解斜視図である。
【図６】本考案に係る実施例２の弁から流体が流出する状態を示す概略図である。
【符号の説明】
【００２９】
１        弁                      １０，６０      ブッシュ
１１      収容空間                １１１      当接面
１２      流出口                  １２１      フィルム
１３，６４      容器              ２０，７０      ピストン・ロッド
２１      環状突起                ２２        ロッド部
２３，７３      係合部            ２４        連通孔
２４１    凸縁                    ３０        ノズル
３１      連通部                  ３２        接合縁
３３      流出ノズル              ３３１      流出孔
４０，８０      スリーブ          ４１，８１      嵌合部
４２      嵌め開口                ４３        環状溝
４４      弾性素子                ５０，９２      ブラシ
５１      束ねスリーブ用孔        ５１１      溝
６１      収容空間                ６２        当接面
６３      流出口                  ６５        当接部
７１      凸部                    ７２        環状突起
７４      ロッド                  ７５        弾性素子
８２      止め面                  ８３        円錐体
９０      ペン・チューブ          ９１        環状溝
【図１】
0003111086.tif 000003
【図２】
0003111086.tif 000004
【図３】
0003111086.tif 000005
【図４】
0003111086.tif 000006
【図５】
0003111086.tif 000007
【図６】
0003111086.tif 000008